(57)【特許請求の範囲】
【請求項１】
展開時の折畳収納箱の横断面が断面四角形からなっており、
前記断面四角形の縦又は横方向のいずれか一方に対向して設けられる一対の第１側壁と、縦又は横方向のいずれか他方に対向して設けられた第２側壁と、コーナー部近傍の第１側壁に設けられて前記第１側壁と第２側壁とを屈曲自在に連結する高さ方向に延びるコーナーヒンジと、前記第２側壁の下端に下部ヒンジを介して折曲可能に連設された底板とを有する合成樹脂製中空体の箱からなり、前記第１側壁が中央で高さ方向に延びる内折りヒンジを有しており、該内折りヒンジとコーナーヒンジとを介して第１側壁を箱内方へ折曲げ可能とした第１側壁本体を有する合成樹脂製中空体シートからなる折畳式収納箱において、
各第１側壁に、第１側壁本体の内側に重なって固着され、前記一対のコーナーヒンジと重ならない個所で一方から前記内折りヒンジを超えて中途位置まで延びる長手支承板と、他方から前記内折りヒンジを超えず箱組立時に前記長手支承板の端部と整合する位置まで延びる短手支承板とを有しており、
組立時に前記長手支承板と短手支承板の下部が、水平に展開された前記底板の側端面と衝合して同一面状に保持されていることを特徴とする折畳式収納箱。
【請求項２】
一対の第２側壁が、それぞれ第２側壁本体と、該第２側壁本体の内側に沿って固着された第２補強側壁部とからなっており、
一対の第１側壁が、前記第２補強側壁部の下方に、水平に延びる下部ヒンジを介して底板を折畳可能に連設しており、
第２側壁本体が、両端のコーナー部から隣接する前記第１側壁本体のコーナーヒンジまで延びる連設片と一体に折畳乃至展開可能に形成されていることを特徴とする請求項１に記載の折畳式収納箱。
【請求項３】
第２側壁本体は、該第２側壁本体の下端と、隣接する連設片の下端とで囲まれた矩形領域を塞ぐ補助底壁を一体に有しており、
該補助底壁は、底板を略水平に展開した際に前記底板の裏面と衝合する位置に配置されていることを特徴とする請求項２に記載の折畳式収納箱。
【請求項４】
第２補強側壁部の上方に、水平に延びる第２上部ヒンジを介して組立時の箱の上部開口を塞ぐ上蓋片を折畳可能に連設していることを特徴とする請求項２または３に記載の折畳式収納箱。
【請求項５】
底板が、一方の第２補強側壁部の下方に折畳可能に連接された単一の底板、または一対の第２補強側壁部の下方にそれぞれ折畳可能に連接された一対の底板構成片からなっていることを特徴とする請求項２に記載の折畳式収納箱。
【請求項６】
補助底壁の下面に、下方に配置した別の折畳式収納箱の第２側壁の上端の内周面に嵌合可能な嵌合用突面部が形成されており、折畳式収納箱を上下にスタッキング可能としたことを特徴とする請求項３に記載の折畳式収納箱。
【請求項７】
対向する第１側壁に設けられる前記長手支承板と短手支承板との配置が逆向きに配置定されてなることを特徴とする請求項１から３のいずれかに記載の折畳式収納箱。
【発明の詳細な説明】
【技術分野】
【０００１】
この発明は、内折りヒンジを有する第１側壁と、底板を折畳可能に連結した第２側壁とを屈曲自在に連結した合成樹脂製中空体シートからなる折畳式収納箱の改良に関する。
【背景技術】
【０００２】
従来、容器の一方の方向に相対向して延在する側壁を中央で内側に折りたためるようにした折りたたみ可能な容器として、例えば特開平６−３２１２３３号では、中央部のヒンジにて縦方向に伸びる直線方向にて内側へ折り曲げ可能な第１の側壁と、両端部にて内側へ曲げた形状の断面がコの字状をなし、その下端の三つの辺に一体に結合した底部を有する第２の側壁とを夫々二つを交互に接続し、更に折り曲げ線により互いに接続されている一つの台形部分とその両側の三角形状分とよりなる二つの薄板状の底板を前記台形状部分が第２の側壁の底部の一辺にて又三角形状部分が第１の側壁の下端部にて折り曲げ可能に接続して一体にして底板を構成し、両底板が互いに接するようにして前記第１，第２の側壁と底板とで箱本体を構成し、前記第２の側壁の下部にその一辺を折り曲げ可能に取り付けた補強用底板を設け、吸収部を形成した構成が知られている。
しかし、上記構成では、一対の第１の側壁には容器の内向きに折れ曲がる中央部のヒンジを有しているため、組立時に平面状に展開した第１の側壁に外部から内向きに強い力が加わった場合には中央部のヒンジが内向きに折れ曲がる虞れがあり、そのため底板を台形状部分と台形状部分の斜辺に夫々接続する三角形状部分からなる互いに１辺にて接する二つの部分に分け、これら底板が側壁下端および台形状部分と三角形状部分の接続部より折れ曲がり内側へ折りたたまれる構成とする必要があり、構造が複雑化するという問題点がある。
また、特開平７−３０９３３８号では、前記断面コ字状となる第１の側壁側に内向きに折れ曲がる中央部のヒンジを設けることで、容器を折り畳んだときの容器の第２の側壁を含む横方向の全長が、同容器を組み立てたときの当該容器の第２の側壁を含む横方向の全長より小さくなるようする構成を採っている。
この場合、対向する第１の側壁にそれぞれ形成される中央部のヒンジは同一面状に揃っているので、第１の側壁の突部を底壁の両側端と衝合させて掛け止めており、底壁は２分割されて第１の側壁に折畳可能に連結されているので、底面中央で係止する必要があり、構造が複雑化すると共に、外部から大きな力が加わると掛止が外れて組立姿勢が崩れるという問題点がある。
【先行技術文献】
【特許文献】
【０００３】
【特許文献１】特開平６−３２１２３３号公報
【特許文献２】特開平７−３０９３３８号公報
【発明の概要】
【発明が解決しようとする課題】
【０００４】
この発明は上記問題点を解決するために、対向する第１側壁で同一面上に揃う内向きヒンジに対して長手支承板と短手支承板とで内向きヒンジ位置を覆うことで組立姿勢を保持する安定性に優れた折畳式収納箱を提供することを課題とするものである。
この発明の別の課題は、組立時に、水平に展開される底板を補助底壁で下から支えて底板の強度を高めることができる折畳式収納箱を提供することにある。
また、第２側壁を、第２側壁本体と第２補強側壁部とで形成し、該第２補強側壁部の下方に底板を連接することで、二重構造で強度に優れた折畳式収納箱を提供することができる。
更に、第２補強側壁部の上方に上蓋片を連接することで、箱の上部開口を塞ぐことができる折畳式収納箱を提供することができる。
また、前記補助底壁の下面に嵌合用突面部を設ければ、スタッキング可能な折畳式収納箱を提供しうる。
【課題を解決するための手段】
【０００５】
この発明は、上記課題を解決するために、請求項１の発明では、
展開時の折畳収納箱の横断面が断面四角形からなっており、
上記断面四角形の縦又は横方向のいずれか一方に対向して設けられる一対の第１側壁と、縦又は横方向のいずれか他方に対向して設けられた第２側壁と、コーナー部近傍の第１側壁に設けられて前記第１側壁と第２側壁とを屈曲自在に連結する高さ方向に延びるコーナーヒンジと、前記第２側壁の下端に下部ヒンジを介して折曲可能に連設された底板とを有する合成樹脂製中空体の箱からなり、前記第１側壁が中央で高さ方向に延びる内折りヒンジを有しており、該内折りヒンジとコーナーヒンジとを介して第１側壁を箱内方へ折曲げ可能とした第１側壁本体を有する合成樹脂製中空体シートからなる折畳式収納箱において、
各第１側壁に、第１側壁本体の内側に重なって固着され、前記一対のコーナーヒンジと重ならない個所で一方から前記内折りヒンジを超えて中途位置まで延びる長手支承板と、他方から前記内折りヒンジを超えず箱組立時に前記長手支承板の端部と整合する位置まで延びる短手支承板とを有しており、
組立時に前記長手支承板と短手支承板の下部が、水平に展開された前記底板の側端面と衝合して同一面状に保持されていることを特徴とする。
請求項２の発明では、
前記一対の第２側壁が、それぞれ第２側壁本体と、該第２側壁本体の内側に沿って固着された第２補強側壁部とからなっており、
前記第２補強助側壁部の下方に、水平に延びる下部ヒンジを介して底板を折畳可能に連設しており、
第２側壁本体が、両端のコーナー部から隣接する前記第１側壁本体のコーナーヒンジまで延びる連設片と一体に折畳乃至展開可能に形成されていることを特徴とする。
請求項３の発明では、
前記第２側壁本体は、該第２側壁本体の下端と、隣接する連設片の下端とで囲まれた矩形領域を塞ぐ補助底壁を一体に有しており、
該補助底壁は、底板を略水平に展開した際に前記底板の裏面と衝合する位置に配置されていることを特徴とする。
請求項４の発明では、
前記第２補強側壁部の上方に、水平に延びる第２上部ヒンジを介して組立時の箱の上部開口を塞ぐ上蓋片を折畳可能に連設していることを特徴とする。
請求項５の発明では、
前記底板が、一方の第２補強側壁部の下方に折畳可能に連接された単一の底板、または一対の第２補強側壁部の下方にそれぞれ折畳可能に連接された一対の底板構成片からなっていることを特徴とする。
請求項６の発明では、
前記補助底壁の下面に、下方に配置した別の折畳式収納箱の第２側壁の上端の内周面に嵌合可能な嵌合用突面部が形成されており、折畳式収納箱を上下にスタッキング可能としたことを特徴とする。
請求項７の発明では、
対向する第１側壁に設けられる前記長手支承板と短手支承板との配置が逆向きに配置定されてなることを特徴とする。
【発明の効果】
【０００６】
この発明では、以下の特有の効果を奏することができる。
（１）一対の第１側壁の内側に長手支承板と短手支承板とを設け底板の側端部と衝合させることで第１側壁を二重構造として強度を高めると共に、対向する第１側壁の中央に形成される内折りヒンジの折曲げ線と、前記長手支承板と短手支承板の分離線とが異なるので、前記折曲線にかかる負荷を分散することができ、強度と安定性の向上を図ることができる。さらに、内折りヒンジの折り曲げ線が高さ方向に延びているため、上からの押圧に強く、内折りヒンジが屈曲するようなことがない。
（２）第２側壁が、第２側壁本体と第２補強側壁部とからなっており、前記第１側壁本体はコーナーヒンジを介して第２側壁本体と連接し、前記第２補強側壁部には底板を連接するので、折畳時には第２側壁本体とその両側に形成された第１側壁本体の連設片とで囲まれた空間内に底板を収納することができる。
（３）第２側壁本体の下端に補助底壁を設けることで、略水平に展開した底板の裏面を補助底壁で下から支持することができるので、耐荷重を増大しうる。
（４）第２補強側壁部に上蓋片を折畳自在に連接することで、組み立てられた箱の上部開口を上蓋片で覆って塞ぐことができる。
この上蓋片は、長手支承板や短手支承板に連接された上蓋支持片部によって、
上蓋片裏面を上蓋支持片部によって下から支持するので、上蓋片の姿勢が崩れることがない。
（５）上蓋片を一対の上蓋構成片に分割し、また上蓋支持片を上蓋支持構成片に分割することで、荷重を分散することができる。
（６）上蓋構成片の先端に差込片を設け、一対の上蓋支持構成片の間に差込片を挿入する隙間を設けることで、上蓋構成片を展開した際に水平姿勢を保持して、蓋が不用意に開くことがない。
（７）差込片を挿入する隙間は、一方の上蓋支持構成片を切り欠くことで容易に成形することができる。
（８）底板は、一体ものでも、二分割した底板構成片であってもよく、折畳式収納箱の寸法や形状、用途に合わせて、適宜形成することができる。
（９）補助底壁の下面に嵌合用突面部を設けたので、組み立てられた折畳式収納箱を上下に積み重ねる際に、上段の折畳式収納箱の嵌合用突面部が下段の折畳式収納箱の上部開口に嵌合し掛け止められるので、容易にスタッキングできる。
（１０）長手支承板または短手支承板の少なくとも一方の下端に下部折曲部を形成しておくことで、展開した底板を支持させることができる。
【図面の簡単な説明】
【０００７】
【図１】実施例１の折畳式収納箱の組立（展開）状態を示す斜視図である。
【図２】第１側壁を正面側とした中央縦断面図である。
【図３】折畳式収納箱の組立状態を示す平面図である。
【図４】折畳式収納箱の折畳状態を示すもので、（ａ）は平面図、（ｂ）は底面図である。
【図５】折畳と組立の途中の状態を下から見た斜視図である。
【図６（ａ）】折畳式収納箱の底板の展開前の組立状態を示すもので、下から見た斜視図である。
【図６（ｂ）】折畳式収納箱の底板の展開前の組立状態を示すもので、上から見た斜視図である。
【図７】折畳式収納箱の底板の展開途中を示す斜視図である。
【図８（ａ）】底板が二分割された実施例２の折畳式収納箱を示す断面図である。
【図８（ｂ）】図８（ａ）を下から見た図である。
【図８（ｃ）】底板が二分割された実施例２の折畳式収納箱を示す断面図である。
【図９】底板が中途位置に折曲げヒンジを有する実施例３の折畳式収納箱を示す断面図である。
【図１０】上蓋片を開いた状態の実施例４の折畳式収納箱の斜視図である。
【図１１】上蓋片を閉じた状態の実施例４の折畳式収納箱の斜視図である。
【図１２】上蓋片を開いた状態の実施例４の折畳式収納箱の断面図である。
【図１３】上蓋片を閉じた状態の実施例４の折畳式収納箱の断面図である。
【図１４】上蓋片を設けた実施例５の折畳式収納箱の断面図である。
【発明を実施するための形態】
【０００８】
第１側壁の内面に内折りヒンジからずれた位置で分離される長手支承板と短手支承板を設け、組立時に略水平に展開される底板の側端部を衝合させることで、折畳式収納箱の強度と安定性の向上を実現した。
以下に、この発明の折畳式収納箱の好適実施例について図面を参照しながら説明する。
【実施例１】
【０００９】
［折畳式収納箱］
本実施例の折畳式収納箱１の展開した組立状態を図１から図３に示し、折畳状態を図４に示す。
この折畳式収納箱１は、プラスチック製中空体シートからなっている。
ここで、プラスチック製中空体シートとしては、一回の押し出しで一体として吐出・成型されたプラスチック製段ボールを用いているが、２枚のライナーの間に中芯を有するプラスチック製段ボールや、その他の中空構造の合成樹脂シートなど熱曲げ加工できる合成樹脂シートを用いることができる。
【００１０】
前記折畳式収納箱１は、断面長方形の短手方向に沿って延び対向して設けられる一対の第１側壁２と、長手方向に沿って延び対向して設けられる一対の第２側壁５と、該第２側壁５の下端に下部ヒンジＨ３を介して折曲可能に連設された底板８とを有している。
なお、この発明では、折畳式収納箱１の横断面形状は長方形に限らず正方形であってもよいし、第１側壁２と第２側壁５とは任意の方向に定めることができる。
【００１１】
［ヒンジ］
折畳式収納箱１の第１側壁２の中央には高さ方向に延びて折畳時に谷折り方向に屈曲する内折りヒンジＨ１が形成されている。
また、折畳式収納箱１の４個所のコーナー部Ｃ近傍には、前記第１側壁２と第２側壁５とを折畳時に山折り方向に屈曲させる、高さ方向に延びたコーナーヒンジＨ２が形成されている。
このコーナーヒンジＨ２は、図示例の場合、第１側壁２を両側から挟む一対のコーナー部Ｃから第１側壁２の内折りヒンジＨ１寄りに偏った位置に一対設けられている。
更に、前記第２側壁５の下部には、水平方向に延びて折畳時に谷折り方向に屈曲する下部ヒンジＨ３を介して折畳自在に底板８が連設されている。
本実施例では、上記各ヒンジＨ１からＨ３は熱罫線により形成された断面Ｖ字又はＵ字状の溝からなっている。
【００１２】
［第１側壁］
第１側壁２は、中央に前記内折りヒンジＨ１を設けた第１側壁本体２０と、内折りヒンジＨ１により二分された一方の第１側壁本体２１に固着され内折りヒンジＨ１を超えて延びる長手支承板３と、内折りヒンジＨ１により二分された他方の第１側壁本体２２に固着され内折りヒンジＨ１を超えず前記長手支承板３の先端と接し又は近接する先端を有する短手支承板４とからなっている。
【００１３】
第１側壁本体２０は、前述のようにコーナー部Ｃの近傍にコーナー部Ｃと平行に形成されて縦に延びる一対のコーナーヒンジＨ２を有しており、該コーナーヒンジＨ２からコーナー部Ｃまで延びる連設片６ｂと、該連設片６ｂから直角に折れ曲がってコーナー部Ｃを形成し、第２側壁本体６の両端に一体に固着される貼付片６ｃとを設けた断面コ字状からなっている。
長手支承板３は、一方の第１側壁本体２１の内壁面に沿って基端から内折りヒンジＨ１対応個所まで固着されて一体となっており、内折りヒンジＨ１を超えた部分はいずれの第１側壁本体２１、２２にも固着されずにフリーとなっている。
短手支承板４は、他方の第１側壁本体２２の内壁面に基端から先端までが固着されて一体となっている。
【００１４】
そして、折畳式収納箱１の組立時に、長手支承板３の先端と短手支承板４の先端とが分離線Ｌを介して略隙間無く接して一連となり、第１側壁本体２０の内面を二重に覆うようになっている。
対向する一対の第１側壁２に設けられる長手支承板３と短手支承板４とは、対峙するように左右対称に配置されてもよいが、図示例では逆向き、即ち、一方の第１側壁２の長手支承板３に他方の第１側壁２の短手支承板４が対峙し、一方の第１側壁２の短手支承板４に他方の第１側壁２の長手支承板４が対峙するように配置されている。
【００１５】
従って、一方の第１側壁２に形成される長手支承板３と短手支承板４の先端間の分離線Ｌと他方の第１側壁２に形成される長手支承板３と短手支承板４の先端間の分離線（説明の便宜上、Ｌ’とする）とが、対向する内折りヒンジＨ１を結ぶ面とはそれぞれ別方向にずれた位置に配置される。
これによって、対向する第１側壁本体２０の内折りヒンジＨ１が中央で対峙する位置にあっても、組立時に長手支承板３が内折りヒンジＨ１の内側に重なることにより、組立時における第１側壁本体２０の内折りヒンジＨ１に対応する個所の折曲がりを防ぐことができる。
【００１６】
［第２側壁］
本実施例では、第２側壁５は、薄肉の合成樹脂製中空体シートで直線状に延びる第２側壁本体６と、該第２側壁本体６の内壁面６ａに沿って固着され厚肉の合成樹脂製中空体シートで形成された第２補強側壁部７とからなっている。
【００１７】
そして、一方の第２側壁５の第２補強側壁部７の下部に沿って水平に延びる下部ヒンジＨ３が形成されており、該下部ヒンジＨ３を介して同じ肉厚の底板８が折畳可能に連設されている。
また、前記第２側壁本体６の下端には、第２側壁本体６と連設片６ｂとで囲まれた矩形領域を塞ぐ補助底壁１１を一体に有している。
【００１８】
本実施例で第２側壁本体６は扁平な合成樹脂製中空体シートに第１側壁本体２０を形成するための扁平な合成樹脂製中空体シートを組み合わせて、以下のように形成される。
まず、第１側壁本体２０を形成するための扁平な合成樹脂製中空体シート（図示例では流れ目が横）の中央に熱罫線で内折りヒンジＨ１を形成し、その左右両端から所定長さだけ中央に寄ったところで前記内折りヒンジＨ１と平行に左右一対のコーナーヒンジＨ２を有している。
【００１９】
そして、該コーナーヒンジＨ２から所定の長さだけ離間した外側の部分を連設片６ｂとし、熱曲げ加工などで直角に折曲げて延びる部分を貼付片６ｃとし、角部を収納箱のコーナー部Ｃとする。
このコーナー部Ｃより先端側の貼付片６ｃを、第２側壁本体６を形成する扁平な合成樹脂製中空体シート（図示例では流れ目が縦）の両端に重ねて圧縮し一体に固着することで、折畳乃至展開時に連設片６ｂを第２側壁本体６と一体に連動可能となるように形成する。
【００２０】
前記第２側壁本体６は扁平な前記合成樹脂製中空体シートからなっているので、その下端を熱曲げ加工などで内向きに直角に折曲げて、前記第２側壁本体６及び連設片６ｂの下端で囲まれた領域内でコーナーヒンジＨ２の屈曲を妨げないように矩形状に延出させて補助底壁１１を形成する。
補助底壁１１は、収納箱を折り畳んだ際に、対向する第２側壁本体６側の補助底壁１１と先端が整合する形状が好ましく、対向する補助底壁１１の先端相互が凹凸係合するように中途位置に段差を設けた凹凸形状としてもよいが、この発明では形状は特に限定されないし、その長さはコーナーヒンジＨ２まで延びていなくてもよい。
【００２１】
前記第２側壁本体６の内壁面６ａには、上端を第２側壁本体６の上端より所定の長さだけ低く設定した第２補強側壁部７が固着されている。
本実施例では、一方の第２側壁本体６に固着される第２補強側壁部７が底板８と連設しており、１つの厚肉の合成樹脂製中空体シート（図示例では流れ目が縦）から形成されている。
即ち、厚肉の合成樹脂製中空体シートの中途位置で横断する熱罫線を形成して下部ヒンジＨ３としているので、下部ヒンジＨ３の上方を一方の第２補強側壁部７として第２側壁本体６の広面６ａの内壁に固着し、下方を屈曲自在な底板８としている（図２参照）。
【００２２】
他方の第２側壁本体６に固着される第２補強側壁部（説明の便宜上７’とする）は、その第２側壁本体６の下端まで延びている。
これにより、前記底板８を図６（ｂ）の起立姿勢から図７に示すように傾倒して水平に展開（図２参照）すると、底板８の下面は前記一対の補助底壁１１によって支持され、同時に底板８の先端は対向する第２側壁の第２補強側壁部７’の下部と衝合し挟圧されるので、底板８を強固に組み立てることができる。
【００２３】
この折畳式収納箱１は、前記底板８を裏面の補助底壁１１間の開口から押し上げ下部ヒンジＨ３を介して第２補強側壁部７と重なる起立位置に折畳んで第１側壁２の拘束を解放し、図５に示すように前記一対の内折りヒンジＨ１を箱内方へ押し込むことで、二つ折りされた第１側壁本体と、一対の連設片６ｂ及び第２側壁本体６とで形成された空間内に、第２補強側壁部７と折畳まれた底板８及び他方の第２補強側壁部７’及び長手支承板３及び短手支承板４を平行に収納して、図４に示すようにコンパクトに折り畳むことができる。
【００２４】
［嵌合用突部］
また、前記補助底壁１１の下面には、第２側壁本体６の各面の厚み分だけ内側に寄った位置に、矩形状の嵌合用突部１２が固着されている。
この嵌合用突部１２は、組み立てられた折畳式収納箱１を上下にスタッキングする際の掛け止め用のガイドとして用いることができる（図２参照）。
そのため、前述のように第２補強側壁部７の上端は第２側壁本体６の上端より前記嵌合用突部１２を嵌合しうる長さだけ短くなっている。
【実施例２】
【００２５】
図８に示す折畳式収納箱１は、底板が２分割された構成の異なる実施例を示す。
各第２補強側壁部７の下端に底板相当部分の１／２の長さに設定された底板構成片８ａが下部ヒンジＨ３を介して折畳自在に連結されている。
また底板構成片８ａの下に掛止片８ｃが固着されており、水平に展開した際に一方の底板構成片８ａの先端下部側が他方の掛止片８ｃの先端上部に係止できるようになっている（図８ａ参照）。
また、前記掛止片は底板構成片と一体に形成されていてもよく、図８（ｃ）に示す底板構成片８ａには、その先端に掛止部８ｂが形成されており、水平に展開した際に一対の底板構成片８ａの左右の側縁部側が係止できるようになっている。
【００２６】
また、本実施例では、長手支承板３および短手支承板４の下端に、箱の底面側に略直角に折曲げた下部折曲部３ｂ、４ｂを形成してあるので、略水平に展開した一対の底板構成片８ａの裏面と衝合させて底板構成片８ａを支持することができる。
図示例では、補助底壁１１を設けているので、下部折曲部３ｂ、４ｂはその上面が補助底壁１１の上面と同一面となるように設定することが好ましい。
また、下部折曲部３ｂ、４ｂを設けた場合は、補助底壁１１を省略してもよい。
その他の構成は前記実施例と同様であるので、その説明を省略する。
【実施例３】
【００２７】
図９に示す折畳式収納箱１は、底板８がその中途位置で折畳可能となるよう中間ヒンジＨ４が形成されている。
この中間ヒンジＨ４は、水平に展開した際に下向きに折れ曲がらないように、開口が上向きのＶ溝からなっている。また、外側のライナーを残して、半切りにしてもよい。
この場合、平行に折り畳んだ際に、厚みは前記実施例の２倍となるが、底板８が長い場合には好適である。
その他の構成は前記実施例と同様であるので、その説明を省略する。
上記各実施例では、第１側壁２や第２側壁５を二重構造としたが、１枚のプラスチック製中空体シートで成形しても良い。
【実施例４】
【００２８】
図１０から図１３に示す実施例４の折畳式収納箱１は、その上部開口を塞ぐ上蓋片を設けた構造を示す。
この折畳式収納箱１は、前記実施例と同様に、断面長方形の短手方向に沿って延び略中央に対向して設けられる一対の第１側壁２と、長手方向に沿って延び対向して設けられる一対の第２側壁５と、該第２側壁５に折曲可能に連設された底板８とを有している。
【００２９】
第１側壁２は、前記実施例と同様に中央に内折りヒンジＨ１を設けた第１側壁本体２０と、内折りヒンジＨ１により二分された一方の第１側壁本体２１に固着された長手支承板３と、他方の第１側壁本体２２に固着された短手支承板４とからなっている。
そして、一対の第１側壁２において、長手支承板３と短手支承板４とは相互に対峙するように同じ向きに配置されている。
【００３０】
また、前記第２側壁５は、前記実施例と同様に第２側壁本体６と、該第２側壁本体６の内側に沿って固着された第２補強側壁部７とからなっている。
各第２補強側壁部７には、その上方に、水平に延びる第２上部ヒンジＨ６を介して組立時の箱の上部開口を塞ぐ上蓋片３０を構成する二分割された上蓋構成片３０ａ、３０ｂがそれぞれ折畳可能に連設している。
また各第２補強側壁部７には、実施例２と同様に、第２補強側壁部７の下端に下部ヒンジＨ３を介して底板構成片８ａが折畳自在に連結されているが、底板８の構造は実施例１や３などと同様でもよい。
【００３１】
また、長手支承板３および短手支承板４の上方には、水平に延びる第１上部ヒンジＨ５を介して組立時の箱の上部開口内側に略直角に折曲がる上蓋支持片部３ａ、４ａを設けている
該上蓋支持片部３ａ、４ａは、その折曲げ時に、水平に展開された前記上蓋構成片３０ａ、３０ｂの裏面と衝合して上蓋構成片３０ａ、３０ｂを支持する位置に設定されている（図１１、図１２参照）。
また、長手支承板３および短手支承板４の下部には、下部折曲部３ｂ、４ｂが形成されており、展開した底板構成片８ａを支持するようになっている（図１２参照）。
【００３２】
本実施例の上蓋構成片３０ａ、３０ｂは、その先端縁を略直角に折曲げた差込片３１を形成している。
そして、隣接する上蓋支持構成片３ａ、４ａの間には、前記差込片３１を挿入するための所定の長さに設定された隙間Ｓが形成されている。
【００３３】
従って、前記上蓋構成片３０ａ、３０ｂの長さは、前記隙間Ｓに差込片３１が挿入され、対向する差込片３１、３１間が略隙間無く接する長さに設定されている。
この隙間Ｓは、一方の上蓋支持構成片３ａ又は４ａを切り欠いて形成するもの、あるいは双方の上蓋支持構成片３ａ及び４ａを切り欠いて形成するものでもよいが、図示例では、一方の上蓋支持構成片３ａの先端を切り欠いて形成している。
【００３４】
本実施例では、隙間Ｓの位置に合わせて、上蓋構成片の長さを設定したので、各上蓋構成片３０ａ，３０ｂの長さが異なる場合を示したが、同一の長さであっても良い。
その場合は、長手支承板３の上蓋支持片部３ａの中途位置に隙間Ｓを形成すればよい。
【実施例５】
【００３５】
図１４には、上蓋片３０が一つの構成を示す実施例５の折畳式収納箱１を示す。
本実施例では一方の第２補強側壁部７に第２上部ヒンジＨ６を介して上蓋片３０を連接しており、他方の第２補強側壁部７には上蓋片を設けていない。
そして上記上蓋片３０には、中央位置に二つ折り用の上蓋折畳ヒンジＨ７を設けておけば、不使用時に上蓋片３０を図中点線で示すように折り畳んでコンパクトに収納することができる。
なお、上蓋片３０が長い場合には２つ以上に折畳めるように複数のヒンジを上蓋片３０の中途位置に設けてもよい。
【００３６】
また、本実施例では、上蓋片３０の先端に差込片３１が形成されるので、該差込片３１が挿入される隙間Ｓは、他方の第２補強側壁部７と隣接する長手支承板３又は短手支承板４（図示例では長手支承板３）と他方の第２補強側壁部７との間の空間となるので、上蓋支持片部３ａ又は４ａを切り欠く必要がない。
また、底板８などの構造は実施例３と同様であるので、その説明を省略する。
【００３７】
なお、上蓋片を設けた実施例４、５ではスタッキング用の嵌合用突部は設けていない。
この発明は、上記実施例に限定されるものではなく、各実施例の構成を適宜組み合わせた構成、その他、要するにこの発明の要旨を変更しない範囲で種々設計変更することができる。
【符号の説明】
【００３８】
１    折畳式収納箱
２    第１側壁
３    長手支承板
３ａ  上蓋支持片部
３ｂ  下部折曲部
４    短手支承板
４ａ  上蓋支持片部
４ｂ  下部折曲部
５    第２側壁
６    第２側壁本体
６ａ  広面
６ｂ  連設片
７    第２補強側壁部
８    底板
８ａ  底板構成片
１１    補助底壁
１２    嵌合用突面部
２０    第１側壁本体
２１    一方の第１側壁本体
２２    他方の第１側壁本体
３０    上蓋片
３０ａ、３０ｂ  上蓋構成片
３１    差込片
Ｈ１  内折りヒンジ
Ｈ２  コーナーヒンジ
Ｈ３  下部ヒンジ
Ｈ４  中間ヒンジ
Ｈ５  第１上部ヒンジ
Ｈ６  第２上部ヒンジ
Ｈ７  上蓋折畳ヒンジ
Ｌ、Ｌ’分離線
Ｓ    隙間
【図１】
0005869837.tif 000002
【図２】
0005869837.tif 000003
【図３】
0005869837.tif 000004
【図４】
0005869837.tif 000005
【図５】
0005869837.tif 000006
【図６（ａ）】
0005869837.tif 000007
【図６（ｂ）】
0005869837.tif 000008
【図７】
0005869837.tif 000009
【図８（ａ）】
0005869837.tif 000010
【図８（ｂ）】
0005869837.tif 000011
【図８（ｃ）】
0005869837.tif 000012
【図９】
0005869837.tif 000013
【図１０】
0005869837.tif 000014
【図１１】
0005869837.tif 000015
【図１２】
0005869837.tif 000016
【図１３】
0005869837.tif 000017
【図１４】
0005869837.tif 000018